(57)【要約】【課題】【解決手段】本発明は、最小限の侵襲での埋め込みのために構成され、動物の胃腸管腔の少なくとも一部分（１１９）にしっかりと位置決めして保たれるような寸法とされたアンカ（１０８）に関する。このアンカは、細長い弾性部材から中心軸（１１５）の周囲に環状の波状パターンを形成されたラジアルばね（１００）を含んでいる。このアンカは、中央の管腔を画定するとともに、外周のまわりでかなりのたわみを可能にしつつ、半径方向外向きの力をもたらす。このアンカは、一般的には着脱可能であるが、周囲の体構造へのさらなる固定のために、針状突起物（６４０）などの固定具を備えることができる。いくつかの実施形態においては、アンカが、固定されている部位を着脱可能な部位へと接続するコネクタ（１４０５）を備えている。【選択図】図６
2007513684.tif 000002
【特許請求の範囲】
【請求項１】
両端において開いており、腸の中へと延びるように構成されている非支持の可撓スリーブと、
前記スリーブの上流部に接続され、動物の体内に取り付けられるように構成されている波状アンカと、
を有している胃腸用埋め込み装置。
【請求項２】
請求項１において、前記波状アンカが、腸内に取り付けられるように構成されている胃腸用埋め込み装置。
【請求項３】
請求項２において、前記波状アンカが、十二指腸に取り付けられるように構成されている胃腸用埋め込み装置。
【請求項４】
請求項２において、前記波状アンカが、十二指腸球部に取り付けられるように構成されている胃腸用埋め込み装置。
【請求項５】
請求項１において、前記波状アンカが、腸内に着脱可能に取り付けられるように構成されている胃腸用埋め込み装置。
【請求項６】
請求項１において、前記波状アンカが、中心軸の周囲に形成された細長い弾性部材を含んでおり、第１の端部および第２の端部を有するとともに、それらの間に中央管腔を定めており、前記弾性部材が、前記中心軸の周囲を前記第１の端部と前記第２の端部との間で往復する振幅パターンを定めている胃腸用埋め込み装置。
【請求項７】
請求項６において、前記波状パターンが、少なくとも４つの振幅を有している胃腸用埋め込み装置。
【請求項８】
請求項６において、前記弾性部材が、金属、合金、プラスチック、およびこれらの組み合わせで構成されるグループから選択される材料を含んでいる胃腸用埋め込み装置。
【請求項９】
請求項６において、前記弾性部材が、超弾性合金を含んでいる胃腸用埋め込み装置。
【請求項１０】
請求項９において、前記超弾性合金が、ニッケル‐チタニウム合金である胃腸用埋め込み装置。
【請求項１１】
請求項６において、前記弾性部材が、複数のストランドを含んでいる胃腸用埋め込み装置。
【請求項１２】
請求項１１において、前記複数のストランドのいくつかが、異なる物理的特性を有している胃腸用埋め込み装置。
【請求項１３】
請求項６において、前記弾性部材が、或る物理的特性を持つ第１の長さ部分と前記第１の長さ部分の物理特性と関連した別の物理的特性を持つ第２の長さ部分とを有している胃腸用埋め込み装置。
【請求項１４】
請求項１３において、前記物理的特性が弾性である胃腸用埋め込み装置。
【請求項１５】
請求項１３において、前記物理的特性が厚さである胃腸用埋め込み装置。
【請求項１６】
請求項１３において、前記物理的特性が横断面形状である胃腸用埋め込み装置。
【請求項１７】
請求項１において、前記波状アンカが、緩められた状態と圧縮された状態との間で可変である中央管腔の直径を定めており、前記両端は、軸方向の長さによって隔てられており、埋め込まれたときの直径に対する軸方向の長さの比が、少なくとも１である胃腸用埋め込み装置。
【請求項１８】
請求項１７において、前記緩められた直径が、４５ミリメートルである胃腸用埋め込み装置。
【請求項１９】
請求項１において、前記波状アンカを胃腸管の生まれつきの管腔内に取り付けるための造作をさらに有している胃腸用埋め込み装置。
【請求項２０】
請求項１９において、前記取り付けのための造作が、前記波状アンカと生まれつきの管腔との間に形成される干渉を伴う嵌め合いを含んでいる胃腸用埋め込み装置。
【請求項２１】
請求項２０において、前記取り付けのための造作が、機械的な固定具、化学的な固定具、およびこれらの組み合わせで構成されるグループから選択される胃腸用埋め込み装置。
【請求項２２】
請求項２１において、前記化学的な固定具が、外科用の接着剤を含んでいる胃腸用埋め込み装置。
【請求項２３】
請求項２１において、前記機械的な固定具が、針状突起物、縫合糸、外科用ホチキス、およびこれらの組み合わせで構成されるグループから選択される胃腸用埋め込み装置。
【請求項２４】
請求項２０において、第１の複数の針状突起物を使用して取り付けられる胃腸用埋め込み装置。
【請求項２５】
請求項２４において、前記複数の針状突起物のそれぞれが、一端が前記波状アンカへと取り付けられ他端が前記中心軸からおおむね外向きに延びている細長い部材を有しており、前記針状突起物が、周囲の腸の筋肉組織に係合するような寸法とされている胃腸用埋め込み装置。
【請求項２６】
請求項２４において、前記複数の針状突起物が分解性である胃腸用埋め込み装置。
【請求項２７】
請求項２４において、前記第１の複数の針状突起物が、軸方向に分布して実質的に当該装置の端部のうちの一方に位置している胃腸用埋め込み装置。
【請求項２８】
請求項２７において、軸方向に分布した第２の複数の針状突起物を、前記第１の複数の針状突起物と当該装置の他端との間に配置してさらに有している胃腸用埋め込み装置。
【請求項２９】
両端において開いている非支持の可撓スリーブを用意するステップと、
前記スリーブの少なくとも一端を、動物の体の腸の中へと延ばすステップと、
前記スリーブの上流部を、波状アンカを使用して前記動物の体内に取り付けるステップと、
を含んでいる処置方法。
【請求項３０】
請求項２９において、取り付けるステップが、前記波状アンカを腸内に取り付けるステップを含んでいる方法。
【請求項３１】
請求項３０において、取り付けるステップが、前記波状アンカを十二指腸に取り付けるステップを含んでいる方法。
【請求項３２】
請求項３０において、取り付けるステップが、前記波状アンカを十二指腸球部に取り付けるステップを含んでいる方法。
【請求項３３】
請求項２９において、前記波状アンカが、腸内に着脱可能に取り付けられるように構成されている方法。
【請求項３４】
請求項２９において、前記波状アンカが、中心軸の周囲に形成された細長い弾性部材を含んでおり、第１の端部および第２の端部を有するとともに、それらの間に中央管腔を定めており、前記弾性部材が、前記中心軸の周囲で前記第１の端部と前記第２の端部との間を往復する振幅パターンを定めている方法。
【請求項３５】
請求項３４において、前記波状パターンが、少なくとも４つの振幅を有している方法。
【請求項３６】
請求項３４において、前記弾性部材が、金属、合金、プラスチック、およびこれらの組み合わせで構成されるグループから選択される材料を含んでいる方法。
【請求項３７】
請求項３４において、前記弾性部材が、形状記憶合金を含んでいる方法。
【請求項３８】
請求項３７において、前記形状記憶合金が、ニッケル‐チタニウム合金である方法。
【請求項３９】
請求項３４において、前記弾性部材が、複数のストランドを含んでいる方法。
【請求項４０】
請求項３９において、前記複数のストランドのいくつかが、異なる物理的特性を有している方法。
【請求項４１】
請求項３４において、前記弾性部材が、或る物理的特性を持つ第１の長さ部分と前記第１の長さ部分の物理特性と関連した別の物理的特性を持つ第２の長さ部分とを有している方法。
【請求項４２】
請求項４１において、前記物理的特性が弾性である方法。
【請求項４３】
請求項４１において、前記物理的特性が厚さである方法。
【請求項４４】
請求項４１において、前記物理的特性が横断面形状である方法。
【請求項４５】
請求項２９において、前記波状アンカが、緩められた状態と圧縮された状態との間で可変である中央管腔の直径を定めており、前記両端は、軸方向の長さによって隔てられており、埋め込まれたときの直径に対する軸方向の長さの比が、少なくとも約１である方法。
【請求項４６】
請求項４５において、前記緩められた直径が、４５ミリメートルである方法。
【請求項４７】
請求項２９において、前記波状アンカを胃腸管の生まれつきの管腔内に取り付けるための造作を用意するステップをさらに有している方法。
【請求項４８】
請求項４７において、前記取り付けのための造作が、前記波状アンカと生まれつきの管腔との間に形成される干渉を伴う嵌め合いを含んでいる方法。
【請求項４９】
請求項４７において、前記取り付けのための造作が、機械的な固定具、化学的な固定具、およびこれらの組み合わせで構成されるグループから選択される方法。
【請求項５０】
請求項４９において、前記化学的な固定具が、外科用の接着剤を含んでいる方法。
【請求項５１】
請求項４９において、前記機械的な固定具が、針状突起物、縫合糸、外科用ホチキス、およびこれらの組み合わせで構成されるグループから選択される方法。
【請求項５２】
請求項２９において、当該埋め込み装置が、第１の複数の針状突起物を使用して取り付けられる方法。
【請求項５３】
請求項５２において、前記複数の針状突起物のそれぞれが、一端が前記波状アンカへと取り付けられ他端が前記中心軸からおおむね外向きに延びている細長い部材を有しており、前記針状突起物が、周囲の腸の筋肉組織に係合するような寸法とされている方法。
【請求項５４】
請求項５２において、前記複数の針状突起物が分解性である方法。
【請求項５５】
請求項５１において、前記第１の複数の針状突起物が、軸方向に分布して実質的に当該装置の端部のうちの一方に位置している方法。
【請求項５６】
請求項５５において、軸方向に分布した第２の複数の針状突起物を、前記第１の複数の針状突起物と当該装置の他端との間に配置してさらに有している方法。
【請求項５７】
動物の胃腸管の生まれつきの管腔へと挿入されるように構成された第１の環状部材と、
前記第１の環状部材を前記生まれつきの管腔内に固定して取り付けるための固定具、
胃腸用の埋め込み物と、
前記第１の環状部材と前記胃腸用の埋め込み物との間を着脱可能に接続するためのコネクタと、
を有している胃腸用埋め込み装置。
【請求項５８】
請求項５７において、前記固定具が、機械的な固定具、化学的な固定具、およびこれらの組み合わせで構成されるグループから選択される胃腸用埋め込み装置。
【請求項５９】
請求項５８において、前記機械的な固定具が、針状突起物、縫合糸、外科用ホチキス、およびこれらの組み合わせで構成されるグループから選択される胃腸用埋め込み装置。
【請求項６０】
請求項５７において、前記胃腸用の埋め込み物が、第２の環状部材を含んでいる胃腸用埋め込み装置。
【請求項６１】
請求項６０において、前記第２の環状部材が、上流端（近位端）および下流端（遠位端）の間に中央管腔を定める非支持の可撓スリーブを含んでいる胃腸用埋め込み装置。
【請求項６２】
請求項５７において、前記コネクタが、前記第１の環状部材および前記胃腸用埋め込み物のうちの一方に取り付けられ、前記第１の環状部材および前記胃腸用埋め込み物のうちの他方の造作と係合するように構成されている締め具を含んでいる胃腸用埋め込み装置。
【請求項６３】
請求項５７において、前記コネクタが、磁気による引力によって動作する胃腸用埋め込み装置。
【請求項６４】
請求項５７において、前記コネクタが、前記第１の環状部材および前記胃腸用埋め込み物のうちの一方に取り付けられ、前記第１の環状部材および前記胃腸用埋め込み物のうちの他方の造作と係合するように構成されている磁石を含んでいる胃腸用埋め込み装置。
【請求項６５】
動物の胃腸管の生まれつきの管腔へと、第１の環状部材を挿入するステップと、
前記第１の環状部材を前記生まれつきの管腔内に固定して取り付けるステップと、
胃腸用の埋め込み物を用意するステップと、
前記胃腸用の埋め込み物を前記第１の環状部材へと着脱可能に接続するステップと、
を含んでいる処置方法。
【請求項６６】
請求項６５において、前記第１の環状部材を固定して取り付けるステップが、機械的な固定具、化学的な固定具、およびこれらの組み合わせで構成されるグループから選択される固定具を使用するステップを含んでいる方法。
【請求項６７】
請求項６６において、前記機械的な固定具が、針状突起物、縫合糸、外科用ホチキス、およびこれらの組み合わせで構成されるグループから選択される方法。
【請求項６８】
請求項６７において、前記胃腸用の埋め込み物が、第２の環状部材を含んでいる方法。
【請求項６９】
請求項６８において、前記第２の環状部材が、上流端および下流端の間に中央管腔を定める非支持の可撓スリーブを含んでいる方法。
【請求項７０】
請求項６５において、着脱可能に接続するステップが、
締め具を用意するステップと、
前記締め具を、前記第１の環状部材および前記胃腸用埋め込み物のうちの一方に取り付けるステップと、
前記第１の環状部材および前記胃腸用埋め込み物のうちの他方の造作を、前記締め具に係合させるステップと、
を含んでいる方法。
【請求項７１】
請求項７０において、着脱可能に接続するステップが、
磁気による引力によって動作するコネクタを用意するステップと、
前記コネクタを、前記第１の環状部材および前記胃腸用埋め込み物のうちの一方に接続するステップと、
前記第１の環状部材および前記胃腸用埋め込み物のうちの他方の造作を、前記コネクタに磁気によって係合させるステップと、
を含んでいる方法。
【発明の詳細な説明】
【関連出願】
【０００１】
この出願は、２００３年１２月９日付の米国特許仮出願第60/528,084号および２００４年２月１３日付の米国特許仮出願第60/544,527号の利益を主張する。上記出願の教示の全体は、参照により本明細書に引用したものとする。
【背景技術】
【０００２】
疾病対策センター（ＣＤＣ）によれば、米国の人口の６０パーセント超が太りすぎであり、ほぼ２０パーセントが肥満である。これは、米国内の成人のうちの３８８０万人について、体格指標（ＢＭＩ）が３０以上であるということである。ＢＭＩは、その人の体重（単位はキログラム）を身長（単位はメートル）の二乗で除算したものとして定義される。臨床的に病的な肥満と判断されるためには、少なくとも以下の３つの条件のうちの１つに合致していなければならない。すなわち、（ｉ）ＢＭＩが３５を超えるか、（ｉｉ）１００ポンドの体重超過であるか、あるいは（ｉｉｉ）「理想的」な体重を１００％を超えて上回るかである。体重が３５０ポンドを超える者について、超肥満という分類も存在する。
【０００３】
肥満は、厄介な健康問題である。この過剰な重量の保持にかかわる甚大な負荷ゆえ、各器官に悪影響が及び、神経系および循環系についても同様である。国立糖尿病／消化器・腎疾患研究所（ＮＩＤＤＫ）の推定によれば、２０００年において、肥満に直接関係する死者が２８０，０００人に上る。さらに、ＮＩＤＤＫは、米国において肥満に関する直接的な医療のコストが、５１０億米ドルに上ると推定している。さらに、米国人は、１年について３３０億米ドルを減量に関する製品に費やしている。このような経済的コストおよび消費者の意欲的な関与にもかかわらず、肥満の蔓延は、憂慮すべき速度で広がり続けている。米国において１９９１年から２０００年までに、肥満は６１％増加した。米国の問題に限らず、全世界における肥満の範囲も、劇的に増え続けている。
【０００４】
医療システムに対する主要なコストの１つは、肥満に関係する合併症から生じている。２型糖尿病が、人口の７．３％に上っている。これら２型糖尿病の人々のうち、ほぼ半分が臨床的に肥満であり、３分の２が肥満に近づいている。他の合併症としては、高血圧症、冠動脈疾患、高コレステロール血症、睡眠時無呼吸症、および肺高血圧症が挙げられる。
【０００５】
肥満の生理学および心理学は複雑であるが、その原因はきわめて単純であり、すなわち現代社会において見られるカロリーの過剰摂取と少ないエネルギー消費との組み合わせにあることは、医学的に意見の一致するところである。処置方法は、きわめて直感的に思い至るように思われるが、治療法の確立は、医療科学の最良の努力でさえも悩まされ続けている複雑な問題である。ダイエットは、多くの人々にとって、適切な長期的解決策にはなりえない。ひとたびＢＭＩが３０を超えてしまうと、生活習慣を大幅に変えることのみが唯一の解決策である。
【０００６】
食べたいという要求を低減することによって摂食の問題に対抗すべく、患者の体の構造を外科的に変えてしまう試みが、これまでに多数存在している。早期に満腹感が得られるよう胃の容積を小さくするための胃サプリング術または胃プラスティー術が、１９８０年代および１９９０年代の初期に行なわれた。当初は体重の減少を達成することができたが、減少を維持することはできなかった。理由は完全には明らかにされていないが、いくつかの要因が関係していると考えられている。その１つは、胃が時間とともに伸び広がって体積が増加する一方で、心理的因子に、小さくなった胃袋で完全に飽食するための新しい方法をみつけるように、患者を誘導することにある。
【０００７】
現在のところ、体重減少を長期にわたってもたらすことに成功している外科的処置が２つ存在し、それらは、ルー・ワイ（Ｒｏｕｘ‐ｅｎ‐Ｙ）胃バイパス手術および十二指腸スイッチ付き胆膵路転換手術（ＢＰＤ）である。どちらの手術も、胃のサイズを小さくするとともに、栄養素の吸収に利用できる腸の有効長さを短くする。胃のサイズを小さくすることによって、胃の容量および患者の食物摂取能力が小さくなる。十二指腸をバイパスすることによって、脂肪、高糖、および炭水化物に富んだ食物の消化をさらに困難にできる。この手術の目的の１つは、このような食品を摂取したとき、ダンピング症候群を生じさせることで、患者にフィードバックをもたらすことにある。ダンピングは、炭水化物が最初に十二指腸で調整されることなく空腸に直接進入した場合に生じる。結果として、大量の流体が、腸の内壁から食物へと放出される。全体としての効果が、患者に頭のふらつきを感じさせ、深刻な下痢をもたらす。さらに、この手術は、理由は未だ明らかにされていないが、糖尿病に対する迅速な治療効果も有している。
【０００８】
生理学的に単純であるように思われる反面、これらの手術の作用について正確な仕組みは理解されていない。現時点での理論は、ふさわしくない食物を大量に摂取したときに、食道への逆流およびダンピングの両者から負のフィードバックがもたらされるというものである。最終的に患者は、これらの両問題を回避するためには、手術後の体の構造によって課される食物に関する制限に従わなければならないことを、学習する。ＢＰＤ手術においては、空腸の長さの多くがバイパスされて吸収不良が引き起こされ、したがってカロリーの摂取が少なくなる。実際には、ＢＰＤ手術においては胃のサイズはそれほど小さくされず、従って患者は、吸収の減少を補うために充分な量の食物を摂取することができる。この手術は、長期にわたる吸収不良に関するいくつかの深刻な副作用ゆえ、最も病的な肥満のために留保されている。
【０００９】
残念なことに、これらの手術は、大きな代価を伴っている。外科的施術の不完全率の高さが憂慮すべきほどであり、１１％が矯正のための外科的介入を必要とする。これらの手術においては、初期の小さな腸閉塞が２〜６％の割合で生じ、死亡率が約０．５〜１．５％になると報告されている。手術は、有効な解決策であるように考えられるが、現在の侵襲的な手術は、これらの厄介な割合ゆえに受け入れられるものではない。これらの手術に腹腔鏡の技術を適用することによって、手術上の厄介事を減らすことができるが、依然として、きわめて病状の悪い患者を高い手術のリスクにさらすこと、および医師にきわめて高いレベルの熟練を要求することにかわりはない。
【００１０】
小腸における吸収を低減させるための装置が、提案されている（米国特許第5,820,584号（Crabb）、米国特許第5,306,300号（Berry）、および米国特許第4,315,509号（Smit）を参照）。しかしながら、これらの装置は、今までのところ上手く導入されていない。
【発明の開示】
【発明が解決しようとする課題】
【００１１】
肥満の治療のための医療用の装置の使用において、主要な試みの１つは、胃腸管内に装置を固定することにある。食道、胃、および腸の生まれつきの管腔は、この生まれついての管腔を極力傷つけないような寸法とされている内視鏡および／またはカテーテルなどの配送用装置の直径に比べ、比較的大きな直径を呈している。さらに、体の当該部位の筋肉の自然の収縮が、当該部位に埋め込まれた装置に大きな応力およびひずみを加え、事態を複雑にしている。さらには、腸内の気泡など他の力が腸の直径を局所的にさらに増大させることによって、事態を複雑にする可能性もある。
【００１２】
このように、大きくかつ変化しうる直径と筋肉の収縮と組み合わせにより、内部に埋め込んだ装置に脱離が生じる傾向にある。さらには、腸の自然の蠕動収縮が、内部に埋め込まれた装置を、通常の糜粥の通過とともに下流側（遠位側）へと押し流そうとし、あるいは後戻りの収縮ゆえに上流側（近位側）へと押し戻そうとする。
【００１３】
管腔内配置など、手術を伴わない埋め込み方法は魅力的であるが、大径の管腔へと取り付けられるべく構成される挿入装置に、さらなる課題をもたらす。これらの装置は、約２０〜３０ミリメートル（ｍｍ）の設置後のための直径を有し、好ましくは、これよりも大幅に小さい開口から挿入される。侵襲が最小限である胃腸管へとアクセスするための技法は、生まれついての体腔を通じての（例えば、経口、経直腸の）挿入である。さらに、管腔への傷を少なくするため、アクセス用チャネルの直径が、管腔そのもの直径よりも小さいことが好ましい。すなわち、腸へのアクセスは、作業用カテーテルの内径、すなわち約１２ｍｍの内径に限定されるであろう。
【課題を解決するための手段】
【００１４】
本発明は、カテーテル技術に拠る埋め込みのために構成され、腸などの胃腸管の少なくとも一部分にしっかりと位置して保たれるような寸法とされているアンカを提供することによって、これらの課題を解決する。このアンカは、細長い弾性部材から形成され、そのような弾性部材が中心軸の周囲の環状の波状パターンへと形作られてなるラジアルばねを含んでいる。したがって、アンカは、半径方向外向きの力をもたらしながら、その外周のまわりで大きく撓むことができる。このような撓みは、カテーテル技術に拠る送達を可能にしつつ、追従性をもたらして装置を確実に周囲の体構造へと適合させるために、重要である。
【００１５】
環状の波状部材は、自身の中心軸に沿ってアンカの２つの開放端の間に形成される管腔を画定している。埋め込まれたとき、アンカの中心軸は、胃腸管の中心軸に実質的に整列し、糜粥が装置を通過できるようにする。さらに、このアンカ装置は、組織の侵食の可能性を最小限にする充分な柔軟性および追従性を提供することによって、組織への傷を最小限にしつつ、しかも組織に堅固な係止および封止点をもたらす。
【００１６】
アンカは、針状突起物、外科用外科用ホチキス、および縫合糸などの機械的な固定具、ならびに／あるいは外科用接着剤などの他の固定具を使用して、体内に着脱可能に取り付けることができる。他の実施形態においては、アンカが、体内に固定して取り付けられる部位を含んでいる。さらに、コネクタを設け、着脱可能部位を前記固定部位へと取り付けるように構成できる。少なくとも１つの用途として、肥満症の治療を含む。さらなる用途としては、腸の障害の治療が挙げられる。これらの用途においては、アンカが、スリーブまたはバリア（障壁）を腸内にしっかりと埋め込むことができるようにする。埋め込まれたとき、スリーブが、腸の当該部位における食物の摂取を阻止するように機能し、かつ／または食物への通常のホルモン応答を引き起こさせる。
【００１７】
本発明は、半径方向に圧縮可能な波状アンカを備える胃腸用埋め込み装置に関する。波状アンカは、中心軸の周囲の細長い弾性部材によって形成され、中央の管腔を定めている。弾性部材が、装置の第１の端部と第２の端部との間で、振幅パターンを定めている。波状アンカは、動物の体の胃腸管の生まれついての管腔に挿入されるように、構成されている。中央管腔は、食道、胃、十二指腸、空腸、回腸、および／または結腸などの腸であってよい。
【００１８】
いくつかの実施形態においては、波状アンカの振幅パターンが、少なくとも４つの振幅を有している。一般的には、弾性部材は、金属、合金、プラスチック、またはこれらの材料の組み合わせから形成される。例えば、弾性部材は、一般的にニチノールと称されるニッケル‐チタニウム合金など、形状記憶合金を含むことができる。
【００１９】
いくつかの実施形態においては、細長い弾性部材が、複数のストランドを含んでいる。さらに、複数のストランドのうちのいくつかが、異なる物理的特性を有してもよい。さらに一般的には、細長い弾性部材が、或る物理的特性を持つ第１の長さ部分と、第１の長さ部分の物理特性と関連した別の物理的特性を持つ第２の長さ部分とを含むことができる。例えば、物理的特性とは、弾性、厚さ、および／または断面形状であってよい。
【００２０】
波状アンカの中央管腔は、緩められた状態と圧縮された状態との間で可変である直径を定めている。さらに、アンカの第１の端部と第２の端部とが、或る軸方向の長さによって隔てられている。特に、埋め込まれたときの直径に対する軸方向の長さの比は、少なくとも約１（例えば、３０×３０ｍｍ、または４０×４０ｍｍ）である。緩められた状態（すなわち、埋め込み前）において、長さ対直径の比は、０．８と低くてもよい。いくつかの実施形態においては、緩められた状態の直径が約４５ｍｍであり、これが埋め込み時に約３０ｍｍへと圧縮される。
【００２１】
さらに装置は、波状アンカを胃腸管の生まれつきの管腔へと固定するための造作を備えることができる。例えば、この造作は、波状アンカと生まれつきの管腔との間に形成される干渉を伴う嵌め合いを備えることができる。これに代え、あるいはこれに加えて、前記造作が、機械的な固定具、化学的な固定具、およびこれらの組み合わせを備えることができる。化学的な固定具としては、外科用の接着剤が挙げられ、機械的な固定具としては、針状突起物、縫合糸、外科用ホチキス、およびこれらの組み合わせが挙げられる。
【００２２】
いくつかの実施形態においては、埋め込み装置が、複数の針状突起物を使用して生まれつきの管腔へと固定される。これらの針状突起物は、装置の一方の端部を巡って配置することができる。さらには、埋め込み装置を、装置の同じ端部または他方の端部を巡って配置される複数の針状突起物をさらに使用して固定することができる。一般的には、それぞれの針状突起物は、一端が装置へと取り付けられ、他端が装置から離れるように延びて生まれつきの管腔の筋肉組織へと係合するような寸法とされている細長い部材を備えている。いくつかの実施形態においては、針状突起物が生物分解性である。そのような生物分解性の針状突起物は、アンカを周囲の組織へと一時的に固定するように機能するため、埋め込みによく適している。その後、分解の後には、アンカが自由に脱離でき、腸への適用においては、自然の蠕動が、第２の外科手術を必要としない体からのアンカの取り出しを助けることができる。
【００２３】
さらに、本発明は、上流端に波状アンカを接続して有する非支持の可撓スリーブを使用する処置方法に関する。このスリーブは、動物の体の胃腸管の生まれつきの管腔への埋め込みのために構成されている。
【００２４】
さらに、本発明は、動物の胃腸管の生まれつきの管腔へと挿入されるように構成された第１の環状部材、前記第１の環状部材を前記生まれつきの管腔内に固定して取り付けるための固定具、胃腸用の埋め込み物、および前記第１の環状部材と前記胃腸用の埋め込み物との間を着脱可能に接続するためのコネクタを供える胃腸用埋め込み装置に関する。固定具は、機械的な固定具、化学的な固定具、およびこれらの組み合わせであってよい。例えば、機械的な固定具は、１つ以上の針状突起物、縫合糸、外科用ホチキス、およびこれらの組み合わせであってよい。
【００２５】
さらには、この胃腸用埋め込み装置は、第２の環状部材を備えることができる。第２の環状部材は、上流端および下流端の間に中央管腔を定める細長いスリーブを含むことができる。コネクタは、第１の環状部材および胃腸用埋め込み物のうちの一方に取り付けられ、第１の環状部材および胃腸用埋め込み物のうちの他方の造作と係合するように構成された締め具であってよい。これに代え、あるいはこれに加えて、コネクタが、磁気による引力によって動作することができる。例えば、コネクタが、第１の環状部材および胃腸用埋め込み物のうちの一方に取り付けられ、第１の環状部材および胃腸用埋め込み物のうちの他方の造作と係合するように構成されている磁石を備えることができる。
【００２６】
またさらに、本発明は、胃腸用埋め込み装置を埋め込むためのプロセスに関する。このプロセスは、動物の胃腸管の生まれつきの管腔へと第１の環状部材を挿入するステップを含んでいる。次いで、この第１の環状部材が、前記生まれつきの管腔内に固定して取り付けられる。次に、胃腸用の埋め込み物が用意され、前記第１の環状部材へと着脱可能に接続される。当然ながら、前記第１の環状部材を固定して取り付けるステップは、機械的な固定具、化学的な固定具、またはこれらの組み合わせなどの固定具を用意するステップを含んでいる。例えば、機械的な固定具は、針状突起物、縫合糸、外科用ホチキス、およびこれらの固定具の任意の組み合わせであってよい。
【００２７】
いくつかの実施形態においては、胃腸用の埋め込み物が、上流端および下流端の間に中央管腔を定める細長いスリーブなど、第２の環状部材を備えている。
【００２８】
着脱可能な接続は、締め具を用意するステップ、前記締め具を前記第１の環状部材および前記胃腸用埋め込み物のうちの一方に取り付けるステップ、および前記第１の環状部材および前記胃腸用埋め込み物のうちの他方の造作を、前記締め具に係合させるステップを含むことができる。これに代え、あるいはこれに加えて、着脱可能な接続は、磁気による引力によって動作するコネクタを用意するステップを含んでいる。このコネクタが、前記第１の環状部材および前記胃腸用埋め込み物のうちの一方に接続され、前記第１の環状部材および前記胃腸用埋め込み物のうちの他方の造作に、磁気によって係合する。
【００２９】
本発明の上記の目的、ならびに他の目的、特徴および利点は、添付の図面に示される本発明の好ましい実施形態についての以下のさらに詳しい説明から、明らかになるであろう。添付の図面においては、同一の参照符号は、種々の図の全体を通じて同じ部分を指し示している。図面は必ずしも比例尺ではなく、本発明の原理を説明することに重点が置かれている。
【発明を実施するための最良の形態】
【００３０】
以下で、本発明の好ましい実施形態を説明する。
【００３１】
本発明は、最小限の侵襲での埋め込みのために構成され、動物の胃腸管の少なくとも一部分にしっかりと位置して保たれるような寸法とされているアンカに関する。このアンカは、細長い弾性部材から形成され、そのような弾性部材が中心軸の周囲で環状の波状パターンへと形作られてなるラジアルばねを含んでいる。したがって、アンカが半径方向外向きの力をもたらしながら、外周のまわりで大きく撓むことが可能である。この撓みは、カテーテル技術に拠る送達（例えば、管腔内への）を可能にしつつ、追従をもたらして装置を確実に周囲の体構造に適合させるために重要である。
【００３２】
埋め込まれたとき、アンカの中心軸が、胃腸管の中心軸に実質的に整列し、糜粥が装置を通過できるようにする。さらに装置は、弾性を有しかつ腸にぴったりと適合する寸法とされながら、しかも腸の収縮を許容するのに充分な追従性をもつ。さらに、波状のパターンが、アンカを半径方向に大きく圧縮できるようにし、カテーテルの作業用チャネル内へと取り付けできるようにしている。またさらには、刺激を最小限にするため、アンカが呈する腸との接触の表面積が小さい。
【００３３】
アンカは、針状突起物、外科用外科用ホチキス、および縫合糸などの機械的な固定具、ならびに／あるいは外科用接着剤などの他の固定具を使用して、体内に着脱可能に取り付けることができる。他の実施形態においては、アンカが、体内に固定的に取り付けられる部位と、着脱可能な部位へと着脱可能に接続されるように構成されたコネクタとを備えている。少なくとも１つの用途として、肥満症および他の腸障害の治療を含む。これらの用途においては、アンカが、スリーブまたはバリアを、腸内にしっかりと埋め込むことができるようにする。埋め込まれたとき、スリーブが、腸のうちのスリーブによって覆われる部位について、食物の摂取を阻止するように機能できる。
【００３４】
またさらに、アンカ装置は、充分な柔軟性および追従性を提供することによって組織への傷を最小限にするように設計されている。これにより、アンカ装置は、組織の侵食の可能性を最小限にしつつ、組織に堅固な係止点をもたらす。実際、材料、形状、および／または寸法の少なくとも１つを変化させることによって、アンカ装置の追従性をきわめて容易に変化させることができる。
【００３５】
動物の体の胃腸管の生まれつきの管腔へと挿入されるように構成された装置の一実施形態が、図１Ａおよび１Ｂに示されている。装置は、中心軸１１５の周囲に形成され中央管腔を画定している細長い弾性部材を有するラジアルばね１００を備えている。ラジアルばね１００は、軸１１５に沿って隔てられた第１の端部１０５および第２の端部１１０を有している。明らかに、弾性部材が、第１および第２の端部１０５、１１０の間の振幅パターンを規定している。一実施形態においては、広くアンカ１００と称されるラジアルばね１００が、相互接続された複数のセグメント、レッグ、またはストラット１２０’、１２０’’（総称して１２０）を含んでいる。例えば、図示のアンカ１００は、１０本のレッグ１２０を含んでいる。
【００３６】
有益なことに、生まれつきの管腔へと埋め込まれたこの波状アンカが、周囲の生体構造の直径に適応する。緩んだ状態における典型的な直径Ｄ１は、成人の腸のサイズを代表する約２５〜４５ｍｍといった大きな直径の範囲にあることができる。好都合なことに、このラジアルばねは、折り畳みが可能であり、緩んだ状態の直径Ｄ１から、約１２ｍｍまたはそれ以下である圧縮された状態の典型的な直径Ｄ２へと、圧縮することが可能である。生まれつきの管腔内の所望の位置に挿入された後、ラジアルばね１００が展張状態へと広がることができるよう、外部からの力を解放することができる。理想的には、ラジアルばね１００の展張された状態の直径Ｄ３は、ラジアルばね１００によって生まれつきの管腔に対し外向きの付勢力がもたらされるよう、緩められた状態の直径Ｄ１と圧縮された状態の直径Ｄ２の間にある。
【００３７】
圧縮された状態にある本発明の実施形態の側面の概略図が、図１Ｃに示されている。図に示されているとおり、ラジアルばね１００の形状が、緩められたばねの状態と圧縮されたばねの状態との間に大きな直径比をもたらすために役立っている。例えば、この直径比は、２対１〜３対１を超えるなど、かなり大きくなることができる。さらに、ラジアルばね１００の２つの端部１０５、１１０は、緩められた状態においては距離Ｌ１によって隔てられ、圧縮された状態においては、わずかに長い距離Ｌ２によって隔てられている。アンカの最小長さは、ねじりに対する抵抗力を持っていて、アンカの中心軸を当該アンカが埋め込まれてなる生まれつきの管腔の中心軸に実質的に整列した状態に保とうとするように、選択できる。さらに、アンカの最大長さを、例えば十二指腸上流部に埋め込まれたときに胆管の開口を塞ぐことがないよう、アンカが必要以上に長くないことを確実にするように選択できる。緩められた状態の典型的な長さＬ１は、約１〜２インチの範囲であってよい。いくつかの実施形態においては、Ｌ１が、約１．２５〜１．５インチの間である。さらには、この波状のアンカを、一端が他端よりも大きくなる（例えば、上流側の開口が下流側の開口よりも大きい）ように先細りにすることができる。このような先細りは、上流側へと移動しようとする装置にいくらかの抵抗力をもたらし、上流側に配置される針状突起物の、周囲の組織との係合を強力にする。このように、十二指腸に埋め込まれるアンカにおいて、先細りの形状は、幽門を通過して胃へと入ろうとする移動に対する抵抗力を、アンカにもたらす。
【００３８】
ラジアルばねの外向きの力は、寸法および使用される材料によって制御可能である。いくつかの用途においては、ラジアルばね１００が、胃腸管内に医療用の装置を固定するためのアンカを提供する。例えば、アンカを、供給チューブを固定するために使用することができる。腸内への挿入を意図した用途など、いくつかの用途においては、膨張力が、アンカ１００を常に腸の管腔と連係した状態に保つために充分でありながら、周囲の組織に大きな刺激をもたらすほどには大きくない。さらに、アンカの膨張力が小さいほど、装置による組織の侵食が少なくなる傾向にある。
【００３９】
アンカ１００の追従性は、使用されるフィラメントまたはワイヤの結節点の数（ピッチ）および直径によって選択可能である。一般に、振幅パターンに含まれている結節点が多くなると、装置はより追従性がよくなる。さらに、フィラメントまたはワイヤの直径が大きくなると、装置の追従性が悪くなる。レーザ・カット装置など、いくつかの実施形態においては、ワイヤ（例えば、矩形の形状である）の幅および厚さの両者を変化させることができる。したがって、全体としての装置の追従性を、少なくとも波状パターンならびにワイヤ形状および／またはワイヤ直径から、決定することができる。いくつかの実施形態においては、ラジアルばねが、直径が０．０１２〜０．０２０インチのワイヤおよび少なくとも５つの結節点を使用する。
【００４０】
波状アンカ２００の一実施形態の斜視図が、図２Ａに示されている。波状アンカ２００によって画定される中央の管腔が、ｚ軸２１５に整列している。波状パターンが、おおむね、ｚ軸２１５から所定の半径方向の距離にある仮想の円筒に沿って形成されている。波状の形状は、ｚ軸２１５に沿った最大値および最小値の間で延びている。見てのとおり、波状アンカ２００は、図示の５つの結節点など、複数の結節点を備えることができる。一般的には、３つ以上の結節点が、中央の管腔を画定するために使用される。さらに、図示のとおり、波状アンカ２００を形成している部材の両端を、接合部２２５において接合することができ、あるいは他の方法で一体に連結することができる。溶接、接着、機械的なクリンプ、締め付けスリーブ、およびこれらの組み合わせを、接合部２２５を形成すべく使用することができる。
【００４１】
波状アンカ２００は、中実ワイヤの単ストランド（より線の１本）など、ただ１本のフィラメントから形成することができる。あるいは、波状アンカ２００を、複数撚りのワイヤなど、複数のフィラメントから形成することができる。さらには、複数撚りのワイヤの個々のストランドを、異なる物理的特性（例えば、直径、弾性）を有するように選択することができる。このようにして、波状アンカ２００の全体としての追従性および弾性を、種々の特性を有する個々のストランドを選択して組み合わせることによって、制御することができる。さらに、波状アンカ２００を、波状パターン全体を形成する連続的な部材（典型的には、細長い部材の両端を接続する接続部を１つ有している）から形成でき、あるいは互いに接続されて一体となって波状パターンを形成する複数のセグメントから形成できる。
【００４２】
ワイヤおよび／またはフィラメントは、生体適合性の任意の弾性材料から製作することができる。例えば、材料は、金属、合金、プラスチック、およびこれらの材料の組み合わせであってよい。いくつかの実施形態においては、材料が、ステンレス鋼などのばね用金属である。他の実施形態においては、材料が合金である。好ましくは、合金は、大きな力の印加および大きな運動に耐えることができ、そのような大きなひずみから復帰することができる超弾性合金である。
【００４３】
超弾性合金の一例は、一般的にニチノールと称されているニッケル‐チタニウム（ＮｉＴｉ）化合物である。或る特定の実施形態においては、波状アンカ２００が、約０．０１２インチ〜約０．０２０インチの直径を有する１本のニチノール・ワイヤから作られている。膨張力が、装置を体構造の局所にしっかりと固定するために充分でない可能性があるため、いくつかの実施形態は、係止のための造作を備えている。例えば、図２Ｂを参照すると、いくつかの係止具２５５が、波状アンカ２００に組み合わせられている。このようにして、体へとしっかりと固定されて保たれるという波状アンカの能力が、フックおよび／または針状突起物２５５の追加によって向上する。
【００４４】
図３Ａ〜３Ｄは、５つの結節点を有する波状パターンの他の典型的な実施形態の概略図である。図３Ａにおいては、波状パターンが正弦波状であり、装置の長さの２分の１である最大値（すなわち、＋Ｌ／２）から、長さのマイナス２分の１である最小値（すなわち、−Ｌ／２）まで、ｚ軸に沿って延びている。図示のとおり、このパターンが、装置の直径の半分（すなわち、Ｄ／２）に等しい半径を有する仮想の円筒に沿って、２πラジアンの円周距離にわたって続いている。図３Ｂは、交互のピッチの直線セグメントによって形成される振幅パターンを示しており、隣接するセグメントが、それらの端部において曲線セグメントによって互いに接続されている。図３Ｃは、交互のピッチの隣接直線セグメントによって形成される同様の振幅パターンを示しているが、ここでは、隣接するセグメントが、それらの端部において誇大な曲線セグメントによって互いに接続されている。このような誇大な曲線セグメントは、装置の端部が直面する応力を低減でき、材料の疲労の可能性を少なくすることができる。最後に図３Ｄを参照すると、装置の一実施形態が、交互のピッチの複数の実質的に直線状のセグメントを備えており、ここでは、隣接するセグメントがループを使用して一体に接続されている。ループは、各結節点において細長い部材をπラジアンを超えて曲げることによって、形成することができる。
【００４５】
好都合なことに、ワイヤから形成されたアンカ装置は、製造が簡単である。例えば、装置を、図２および３に示した環状の波のいずれかへと作り上げた１本のニチノール・ワイヤから形成することができる。ワイヤの両端を、連続的なワイヤ構造を形成すべく接合でき、あるいは他の方法で一体に固定することができる。例えば、ワイヤの端部を、溶接、接着、機械的なクリンプ、締め付けスリーブ、およびこれらの組み合わせを使用して、一体に接合することができる。明らかに、形状、材料の選択、および装置の構成によって当初の形状および寸法を失うことなく、かなりの変形量で装置を半径方向に圧縮することができる。例えば、装置は、最大約４５ｍｍになる成人の腸の直径など、きわめて大きい直径Ｄ１にすることができ、一方、半径方向の圧縮または１２ｍｍ以下の小さな直径Ｄ２を有する送達システム内へ詰め込みを好都合にすることができる。さらに、この装置によってもたらされる半径方向の力を、当該装置を構成するワイヤの直径によって制御することが可能である。
【００４６】
図４は、アンカが医療用の装置に取り付けられてなる本発明の実施形態の側面概略図を示している。この典型的な実施形態において、医療用の装置は、細長いスリーブである。図示のとおり、波状アンカ４１５の上流端が、周囲に波状の形状を形成して有する環状のリングを形成している。好ましくは、アンカ４１５の近傍のスリーブの材料が、このアンカ４１５の形状に一致するように切り込まれている（例えば、「チューリップ」状の端部を形成している）。このような構成は、スリーブ４００の上流端におけるシールの形成を容易にするとともに、たわみを伴うアンカ４１５の独立した運動を可能にする。すなわち、種々の「チューリップの花弁」からなる上流端が、スリーブ材４１０がそれらを拘束しないため、独立してたわむことができる。さらには、据え付け時、このチューリップ状の上流端が、胃腸管に埋め込まれたときに、その全周に沿って確実なシールを形成する。好都合なことに、このようにあつらえられた取り付けによれば、食物が背後に回り込みうる非支持の材料が、装置の縁の間に残されることがない。
【００４７】
一般に、胃腸用埋め込み装置であるスリーブ装置４００の上流端は、体内への可逆な固定のために構成される。しかしながら、スリーブ装置４００は、当該装置が配置される開口を支持するものではない（すなわち、ステントではない）ため、大きな膨張力を必要としないことは明らかである。したがって、スリーブ装置４００は、少なくとも１つのアンカ装置または固定装置４１５を、スリーブ４００に取り付けて備えている。上流側スリーブ・アンカ４１５の目的は、主として、スリーブ４００を所定の位置に保持することにある。加えて、アンカ４１５は、スリーブ４１０が確実に体構造の局所に対する流体シールとして作用するように、いくらかの半径方向の力をもたらす。このようなシールは、腸に対する用途において特に重要である。腸においては、糜粥の流れをスリーブ装置４００の管腔内にとどめ、糜粥が装置の周囲を通過する可能性を低減または排除することが望まれる。有利なことに、胃による推進力が、糜粥をスリーブ装置４００内へと押し込むように機能し、糜粥の大部分が装置へと進入することを確実にする。
【００４８】
図示のとおり、アンカ装置４１５をスリーブ４１０へと、スリーブ４１０の上流端において固定することができる。スリーブ材をアンカ４１５へと、機械的および／または化学的な接合によって、溶接によって、さらには／あるいは縫合糸などの他の機械的な固定具を使用して、取り付けることができる。いくつかの実施形態においては、アンカ４１５が、スリーブ４１０の内側層と外側層との間に挟みこむことによって、スリーブ４１０へと固定される。すなわち、いくつかの実施形態においては、スリーブ４１０の材料が、アンカ装置４１５の半径方向外側を巡って広がっている。このようなやり方で、装置４００の上流端から測定して長さＬ２まで、材料を折り返すことができる。一般に、長さＬ２は、アンカ４１５の軸方向の広がりＬ１よりも大である。好都合なことに、材料４１０の二重層が、アンカ４１５の下流端から下流方向に測定して距離Ｌ３だけ伸びている。重なり合った材料４１０を、重なり合いの端部４２０の付近において一体に固定することができる。例えば、２つの層を、中間線４２０に沿って一体に縫い合わせることができる。あるいは、２つの層を、同じ線４２０に沿って化学的に、あるいは熱によって一体に接合することができる。
【００４９】
一般に、スリーブは支持されておらず、刺激または腸の通常の機能への影響が最小限であるように選択された材料特性を有している。すなわち、スリーブ材料４１０は薄く、軽量であり、柔軟であり、かつ生体適合性である。たとえば、スリーブ４１０を、ウレタンおよび／またはシリコーン・ゴムなどのエラストマー材料から形成することができる。あるいは、スリーブ４１０を、フッ素重合体および／またはポリオレフィンなどの実質的に非エラストマーの材料から形成することができる。フッ素重合体のいくつかの例としては、ポリテトラフルオロエチレン（ＰＴＦＥ）、延伸ポリテトラフルオロエチレン（ｅＰＴＦＥ）、フッ化エチレンプロピレン（ＦＥＰ）、パーフルオロアルコキシ（ＰＦＡ）、エチレン‐テトラフルオロエチレン（ＥＴＦＥ）、およびポリフッ化ビニリデン（ＰＶＤＦ）が挙げられる。ポリオレフィンのいくつかの例としては、ポリエチレンおよびポリプロピレンが挙げられる。腸内スリーブ４１０は、好ましくは、薄肉であって支持されておらず、外部からの最小限の圧力で折り畳みうる柔軟な材料で作られている。したがって、この非支持の薄肉材料は、もとより折り畳み可能な状態にあり、スリーブ４１０の管腔内に圧力が形成されるだけで広がる。いくつかの実施形態においては、スリーブ材料の厚さは、約０．００１インチ未満である。スリーブは、好ましくは、約０．３未満の摩擦係数を有する低摩擦材料から形成される。より好ましくは、摩擦係数が、約０．２未満である。摩擦係数が小さいことで、体内へのスリーブ４１０の挿入が容易になり、さらに糜粥の通過が容易になる。
【００５０】
明らかにこの設計にはストラットのネットワークが存在しておらず、周囲の組織へと加わる実質的な力は、ワイヤそのものの外表面の面積に沿う力のみである。例えば、直径０．０１６インチのワイヤで形成され、１インチの長さＬ１および約１．８インチの直径Ｄ１を有している結節点が５つの正弦波状アンカは、約０．２２４平方インチの表面積を呈する。これは、アンカ４１５に接し、あるいはアンカ４１５によって何らかの影響を受ける組織（すなわち、ワイヤ・アンカに接触する組織のみ）の表面積を、典型的なステント式の装置に比べて劇的に低減する。したがって、このアンカが腸の上部にファーター乳頭部１２４（図６）に近接して埋め込まれた時、たとえスリーブ４１０がファーター乳頭部１２４を横切って上方を延びても、中身を十二指腸へと出すファーター乳頭部１２４が、このアンカによって妨げられる可能性がきわめて少ない。より長く、よりステント状である装置は、ファーター乳頭部１２４を覆うように位置して、これを妨げる可能性がより高い。さらに一般的には、スリーブを、胃腸管内の他の位置に係止してもよい。例えば、スリーブを腸内へと延ばしつつ、アンカを胃の中に配置することができる。これに替え、あるいはこれに加えて、スリーブをファーター乳頭部１２４の下流において十二指腸に係止でき、あるいは空腸または回腸など、腸のさらに遠方の部位に係止することができる。
【００５１】
このような軽量な材料は、上流方向へと逆流しやすい。いくつかの場面において、還流は、材料４１０の一部分がアンカ４１５の上流端を超えて延びることにつながる。この状況は、腸の下流側において生じる背圧からもたらされ、通常は望ましくない。有利なことに、上述の重なり合いが、このような還流に抗するため、スリーブ４１０の上流端においてさらなるひずみ緩和をもたらす。
【００５２】
上流側のアンカを含む非支持のスリーブの上流端の一部の断面が、図５Ａ〜５Ｃに示されている。上流側のアンカ４５０を、スリーブ材料４１０の２つの層の間に挟むことができる。図示のとおり、スリーブ４１０の上流端を、内部にアンカ４５０を事実上囲んで、自身の上へと折り返すことができる。スリーブ４５５の二重層を延長し、アンカ４５０の下流端から下流方向へと延びる所定の長さにわたって続けることができる。このような二重層は、追加のひずみ緩和をもたらすことができる。このスリーブ構成を固定するため、２つの層４１０、４５５を一体に張り合わせることができる。例えば、層４１０、４５５を、縫合、外科用ホチキス、ならびに／あるいは化学的または熱的な接合部材４２０を使用して、張り付けることができる。図５Ｂに示した他の実施形態においては、スリーブ４１０を、３つ以上の層４５５を形成するように折り畳むことができ、二重層よりもさらに大きな支持および剛性をもたらすことができる。またさらに、図５Ｃに示すように、スリーブ４１０を、支持部材４６０の周囲へと折り畳むこともできる。
【００５３】
次に図６を参照すると、本発明の胃腸用組み込み装置の一実施形態が、動物の体の胃腸管の生まれつきの管腔へと埋め込まれて示されている。この典型的な埋め込みにおいては、アンカ１０８が、非支持の可撓スリーブ１１０を、十二指腸の内部に係止している。詳しくは、アンカが、幽門１０５のすぐ下流側に位置する十二指腸球部１１９に配置されている。十二指腸球部１１９において係止を行なう少なくとも１つの利点は、十二指腸１０６の他の部分に比べて運動が比較的少ない点にある。さらに、十二指腸球部１１９の運動は、収縮および直線移動というよりはむしろ、限られた収縮となる傾向にある。またさらに、十二指腸球部１１９の周囲の筋肉組織は、比較的厚さが大きく、幽門１０５から離れるにつれて薄くなり、アンカ１０８の取り付けを容易にしている。厚い組織は、針状突起物を使用するアンカにおいて特に好都合である。
【００５４】
十二指腸球部１１９における係止からもたらされる少なくとも１つの利点は、幽門１０５が、通常どおり開閉できるという点にある。すでに述べたように、アンカ１０８の長さは、ファーター乳頭部１２４が妨げられることがないよう、最小限である。平均的な成人において、幽門１０５とファーター乳頭部１２４との間のこの距離は、少なくとも約２インチである。したがって、アンカ１０８の長さは、好ましくは約２インチ未満である。さらに、すでに述べたように、スリーブ１１０の胃１０２への逆流に抗するべく幽門１０５の下流側に当接してストッパとして機能するフレアを、アンカ１０８の上流端に設けることができる。このフレアは、胃１０２からアンカ１０８およびスリーブ１１０の中心へと糜粥を導くうえでも役に立つ。またさらに、このフレアは、上流側に位置する針状突起物と周囲の組織との係合を強化するうえでも役に立つ。
【００５５】
図７は、生まれつきの管腔へと挿入された本発明の胃腸用組み込み装置の一実施形態のさらに詳細な縦断面図である。一般に、生まれつきの管腔６１０は、腸６００などの中空の器官の内部に形成されている。腸６００の断面は、いくつかの異なる層を含んでいる。例えば、腸６００は、食物の通過を助けるための筋肉組織を含む筋肉層６０５を備えている。さらに、腸は、粘膜層６１５を管腔の内表面に沿って備えている。腸において、粘膜層６１５は、緩い組織で形成された粘膜の層である。図４に示したものと同様の胃腸用埋め込み物６２０が、腸６００内に固定されて示されている。すなわち、胃腸用埋め込み物６２０は、波状アンカ６３０を細長いスリーブ６２５の上流端に接続して有している。胃腸用埋め込み物６２０の上流端は、複数の針状突起物を少なくとも２つの層に配置して備えている。すなわち、アンカ６３０の上流端の付近に位置する針状突起物６４０’、６４０’’（総称して６４０）の上流層、および針状突起物６４５’、６４５’’（総称して６４５）の下流層である。いくつかの実施形態においては、下流側の針状突起物６４５が、アンカ６３０の下流端の近くに位置している。他の実施形態においては、下流側の針状突起物６４６’、６４６’’（総称して６４６）が、アンカ６３０の上流端により近く位置しており、上流側の針状突起物６４０よりもわずかに下流側であってもよい。図示のとおり、針状突起物６４０、６４５は、好ましくは粘膜層６１５を貫いて筋肉層６０５へと延びているが、筋肉層６０５を貫通してはいない。
【００５６】
さらに詳しくは、次に図８Ａを参照すると、針状突起物７４０、７４５を波状アンカ７３０へと直接取り付けることができる。例えば、１つ以上の針状突起物７４０、７４５を、波状アンカの１つ以上のレッグまたはストラット７３０へと固定することができる。針状突起物７４０、７４５を、溶接、接着、またはクリンプ手段によって、ストラット７３０へと固定することができる。さらには、針状突起物７４０、７４５を、締め具または添え継ぎなどの機械式の固定具７００を使用して、ストラット７３０へと固定することができる。いくつかの実施形態においては、針状突起物７４０、７４５を、ストラット７３０に連続に形成することができる。これに代え、あるいはこれに加えて、針状突起物７４０、７４５を、ストラット７３０上に成型することができる。例えば、針状突起物を、第１の材料を支持ストラット７３０上へと射出成型することによって形成できる。針状突起物を、完全に形成したアンカ７３０上へと射出成型してもよく、さらには／あるいはワイヤなどの基材上へと射出成型し、これをその後にアンカ７３０へと形成してもよい。そのような射出成型技法は、第１の材料からなる分解性の針状突起物を、ステンレス鋼またはニチノールなどの第２の材料から形成された支持アンカ７３０へと形成すべく、適切にアレンジされる。例えば、分解性の針状突起物を、ポリラクチド（ＰＬＡ）、ポリグリコール酸（ＰＧＡ）、および／またはポリパラジオキサノン（ＰＤＳ）から形成することができる。好都合なことに、分解性の材料の構成に応じて、それらを所定の期間の埋め込みの後に分解されるように形成できる。いくつかの実施形態においては、多数の針状突起物７４０、７４５（例えば、８０本の針状突起物）が、波状アンカの周囲に設けられる。
【００５７】
いくつかの実施形態においては、針状突起物７４０、７４５が、アンカ７３０の中心軸を含む平面内に位置している。すなわち、針状突起物が、軸方向の成分および半径方向の成分を含むが、横方向の成分は含まずに、外向きに延びている。あるいは、針状突起物が、横方向の成分を有する方向へと、中心軸から外向きに延びてもよい。例えば、針状突起物が、中心軸に直交する平面内に事実上位置してもよい。横方向の成分を有する針状突起物は、中心軸を中心とするアンカのねじれを防止することができる。
【００５８】
針状突起物７４０、７４５を、形状記憶合金または超弾性材料から製造することができる。例えば、針状突起物を、約０．０１６〜０．０２５インチの間の直径を有するニチノール・ワイヤから形成できる。あるいは、針状突起物７４０、７４５を、ステンレス鋼などの剛であると同時に弾性の材料から、形成することができる。好ましくは、針状突起物７４０、７４５は、周囲の腸の壁へと貫入するが、貫通はしないように設計される。したがって、針状突起物７４０、７４５の露出長さは、用途に応じて管理される。例えば、腸の上流部分に配置される場合には、針状突起物７４０、７４５は、約３ｍｍの長さであって、装置から外向きに約４５°の角度で約２ｍｍの高さ（すなわち、貫入深さ）まで延びている。これにより、針状突起物７４０、７４５が確実に腸の粘膜層を貫通し、下層の組織へと取り付くようにされる。
【００５９】
針状突起物７４０、７４５のそれぞれの角度も、所望される効果に応じてさまざまであってよい。いくつかの実施形態においては、上流側の針状突起物７４０が、アンカ装置６３０から上流方向に延びる一方で、下流側の針状突起物７４５は、アンカ装置６３０から下流方向に延びている。角度は、それぞれの針状突起物７４０、７４５の軸と波状アンカの表面との間の角度として定義される。いくつかの実施形態においては、下流側の針状突起物７４５が第１の角度θ１を形成する一方で、上流側の針状突起物７４０が第２の角度θ２を形成する。いくつかの実施形態においては、第１の角度がθ１＝１０°などの浅い角度であり、第２の角度がかなり急峻である（例えば、９０°に近い）。他の実施形態においては、両方の角度が約４５°である。角度の他に、針状突起物の高さｈ１、ｈ２も、周囲の組織へのそれぞれの貫入深さを左右する。例えば、腸への適用においては、腸の外表面に孔を開けることなく腸の筋肉層へと貫入するため、約２ｍｍの高さが好ましい。
【００６０】
下流側の針状突起物７４５の１つの先端のさらに詳細な概略図が、図８Ｂに示されている。明らかに、針状突起物７４５の端面は、所定の形状に形作ることができる。例えば、針状突起物の先端７６０は、丸くてよく、先細りでよく、さらには／あるいは尖っていてもよい。さらには、針状突起物の先端７６０が、図示のように方向性を持って尖っていてもよい。すなわち、針状突起物７４５の軸と針状突起物７４５の端面との間に形成される角度αを、先頭の縁７５５において鋭い形状をもたらし、後方の縁７６０において鈍い形状をもたらすように選択できる。このようにして、下流側の針状突起物７４５が上流方向へと移動しても、生まれつきの管腔の表面を貫くことがなく、一方、下流方向に移動すると、先頭の縁７５５が生まれつきの管腔の組織を貫こうとすることになる。このような方向性の形状によって、所望の位置への装置の埋め込みを助けることができる。すなわち、装置を、まずは所望の位置よりも遠方へと配置し、次いで上流側へと所望の位置まで引き寄せ、最後に再び下流側へと押して、下流側の針状突起物７４５を組織の中へと設置することができる。
【００６１】
図８Ｃおよび８Ｄは、生まれつきの管腔内へと挿入された本発明の一実施形態の概略図である。一般的には、埋め込みの際、下流側の針状突起物がまず設置される。圧縮された状態の装置が管腔内の所定の位置へと挿入され、下流側の針状突起物が管腔の組織に接触できるよう、アンカの下流端が解放される。次いで、上述のように、装置を管腔の軸に沿って下流側へと動かすことで、下流側の針状突起物７４５が組織７５０へと挿入される。ひとたび設置されると、アンカの上流端が、圧縮された状態から解放され、上流側の針状突起物が、周囲の組織７５０へと貫入できるようになる。針状突起物の動きが、管腔の表面に対して実質的に垂直であるため、この大きな角度によって針状突起物が事実上の直角で表面組織へと接近する。ひとたび埋め込まれると、針状突起物７４０、７４５が、装置を周囲の組織７５０へと固定すべく機能し、管腔に沿った軸方向の動きに抗するとともに、管腔が半径方向に膨張する際にもアンカを固定する。
【００６２】
このアンカ装置を取り去るためには、これを上流端において把持して、半径方向に折り畳むことができる。さらに、半径方向に畳んだアンカ装置そのものを、除去用のスリーブまたはカテーテルへと引き込むことができる。このように、装置の上流端が半径方向に折り畳まれるため、より垂直に近い上流側の針状突起物７４０を、組織７５０から取り去ることが容易である。ひとたび上流端が畳まれると、装置を上流側へと引っ張ることができ、下流側の針状突起物７４５の角度が小さいことにより、下流側の針状突起物７４５を組織７５０から滑り出させることができる。いくつかの実施形態においては、上流側および下流側の針状突起物７４０、７４５が、実質的に同じ角度を有して形成される。
【００６３】
いくつかの実施形態においては、針状突起物が、図８Ｅに示されているものなど、周囲の体構造の組織を把持するためのフック７７０、７７５を備えている。フック７７０、７７５は、アンカの１つ以上のレッグ７３０へと取り付けることができる。例えば、フック７７０、７７５を、装置のレッグ７３０の１つ以上へと、溶接、接着、またはクリンプすることができる。図示のように、フック７７０、７７５を、クリンプ・スリーブ７６０を使用してレッグ７３０のうちの１つへと取り付けられたワイヤからなるただ１つのフィラメントから形成できる。このように、フック７７０、７７５およびアンカそのものについて、異なる材料を使用することができる。あるいは、フックを異なる材料から形成し、各フックを別個にレッグ７３０へと取り付けてもよい。
【００６４】
いくつかの実施形態においては、フック７７０、７７５を、ニチノール・ワイヤなどの形状記憶材料から製造できる。好ましくは、形状記憶合金は体温で相転移するように設定される。したがって、フック７７０、７７５を挿入に先立って冷却し、周囲の体構造の組織へと貫入すべく実質的に直線状に構成することができる。次いで、組織へと挿入されると、結果として体温による温度上昇により相転移を引き起こし、フック７７０、７７５の形状が、組織を把持するためのフック状へと再形成される。取り外しのためには、体構造をフック７７０、７７５の領域において体温を下回るように、したがって相転移温度を下回るように冷却でき、フック７７０、７７５を再び直線状にすることで、組織からの取り出しを容易にすることができる。例えば、フック７７０、７７５を、体への設置および体からの取り出しのために軟化させるため、冷水の注入によって冷却することができる。さらには、フック７７０、７７５が、送達の際に平坦にされ、解放されたときに弾性によって組織へと進入するニチノールの超弾性ワイヤであってもよい。
【００６５】
形状記憶の場合、体内へと容易に挿入できるように、それらは室温下では折り畳まれて平坦である。フックは、体温において、組織への係止のための形状をとる。超弾性の場合、それらは平坦であるように押し付けられて、挿入のためのチューブの中に配置され、この送達用のチューブから押し出されたときに、アンカが弾性によって形をとる。展張前の針状突起物、展張された針状突起物および送達のために折り畳まれたシステムはそれぞれの形状を示す。
【００６６】
図９は、波状のアンカ９２０を細長いスリーブ９１０の上流端に接続して備えている本発明の他の実施形態のスリーブ装置９００の側面概略図である。いくつかの実施形態においては、固定装置９４０’、９４０’’が、必ずしも上流側のアンカ９２０においてではなく、スリーブ９１０に設けられている。例えば、図９に示されているように、スリーブ装置９００が、波状アンカなどの第１のアンカ装置９２０を上流端に有する可撓スリーブ９１０を備えている。いくつかの実施形態においては、波状アンカ９２０が、自身が周囲の組織へと加える半径方向の力に依存することによって、胃腸管内において自身の位置を維持することができる。あるいは、波状アンカ９２０が、装置９００の上流端をさらに固定するため、図８Ａ〜８Ｅに関して上述したものと同様の複数の針状突起物９３０など、１つ以上の係止部材を備えることができる。
【００６７】
追加の係止部材９４０’、９４０’’は、可撓スリーブ９１０に沿って、波状アンカ９２０とは別個に配置することができる。例えば、係止帯９４０’、９４０’’（総称して９４０）を、スリーブ９１０に取り付けることができる。それぞれの係止帯が、１つ以上の針状突起物を含んでいる。例えば、係止帯９４０は、複数の針状突起物を、係止帯９４０に沿って直線状に配置して備えることができる。
【００６８】
図１０Ａおよび１０Ｂは、スリーブ針状突起物９４０の一実施形態のさらに詳細な概略図である。係止帯１０００が、取り付け枠１０１０および複数の針状突起物１０２０を備えており、針状突起物１０２０のそれぞれが、一端において枠１０１０に接続されている。好ましくは、帯１０００は、追従性を有し柔軟である。例えば、帯１０００を、ニチノールなどの形状記憶材料またはステンレス鋼からなり、所望の柔軟性が確保されるように選択された厚さ「ｔ」を有している薄い帯から形成できる。いくつかの実施形態においては、針状突起物１０２０を取り付け枠１０１０へと、機械的な固定具、溶接、および／または化学的な接合によって取り付けることができる。他の実施形態においては、針状突起物１０２０を、帯１０００の材料から形成することができる。例えば、三角形などの形状を帯１０００へと切り込み、次いでそれらの三角形を、埋め込まれたときに周囲の組織に係合するよう、帯から外向きに曲げることによって、針状突起物を形成できる。係止帯１０００の柔軟性を確保するため、帯１０１０の縁から針状突起物の縁まで測定した幅「Ｗ２」を含む帯の幅「Ｗ１」は、最小限の寸法に抑制される。
【００６９】
いくつかの実施形態においては、一方向への移動を防止するため、帯１０００のすべての針状突起物１０２０が同じ方向を向いている。このようなやり方で、針状突起物１０２０を備え、すべての係止部材１０００が実質的に同じ方向に整列した状態で、複数の係止部材１０００を１つのスリーブ９１０に取り付けることができる。あるいは、いくつかの針状突起物１０２０が１つの方向に整列する一方で、他の針状突起物１０２０が他の方向に整列するように、複数の係止部材１０００の向きが異なっていてもよい。他の実施形態においては、どちらの方向への動きも防止するため、針状突起物が帯１０１０の表面に対して実質的に垂直に形成されている。
【００７０】
あるいは、図１１Ａおよび１１Ｂに示したように、同じ帯において、針状突起物が異なる向きを備えて形成されてもよい。すなわち、アンカ装置１１００が、第１の方向を向いた第１の針状突起物１１２０と別の（たとえば、反対の）方向を向いた第２の針状突起物１１３０とを含んだ取り付け帯１１１０を備えている。
【００７１】
他の実施形態においては、図１２Ａおよび１２Ｂに示されているように、係止帯１２００を、ポリマーなどの成型可能な材料から形成された取り付け帯１２１０を有して形成することができる。このやり方で、１つ以上の針状突起物１２２０を、それ自身が帯１２１０へと係止される一部分を備えることによって、取り付け帯１２１０に取り付けることができる。例えば、図示のように、針状突起物１２２０をワイヤの一セグメントから、ワイヤ・セグメントの第１の部位が取り付け帯１２１０へと埋め込まれる一方で、ワイヤ・セグメントの第２の部位が、埋め込まれたときに周囲の組織に係合するように構成されて、取り付け帯１２１０から突き出すように、形成できる。
【００７２】
波状の設計の利点は、きわめて広い範囲の直径にわたってきわめて平坦な追従曲線を有するアンカを形成できる能力にある。一般的に、図１３を参照すると、典型的な追従曲線が、種々の装置が半径方向に圧縮されたときにもたらす半径方向の力を示している。これは、腸が収縮したときでも、組織に対する力がほぼ一定であることを意味している。このように追従性のある装置は、周囲の組織にあまり傷つけない。上述のばね状アンカの典型的なばね定数は、メッシュ式のステントに比べ一桁小さい。さらに、波状アンカのもたらすばね定数は、チューブから作られた典型的なニチノール・ステントの約半分である。さらに、市販のステントの運動の範囲が、約０．５インチ未満であるのに対し、波状アンカは、最大約１．５インチの範囲において、ほぼ平坦な追従曲線に応じた動作が可能である。公知のステント、および波状アンカを含む他のいくつかの装置について、典型的な試験結果を表１に提示する。
【００７３】
【表１】
2007513684.tif 000003
【００７４】
用途に応じ、医療用の装置（例えば、胃腸用埋め込み装置であるスリーブ）を体から定期的に取り出す必要が、ときにはあるかもしれない。腸内スリーブは例えば、腸に材料との接触からの休息期間をもたらし、より長いスリーブまたはより短いスリーブによって治療を調節し、さらには／あるいは使用寿命が過ぎる前にスリーブ材料を交換するために、定期的に取り出されるかもしれない。挿入、取り出し、および再挿入を容易にするための追加の手段として、２部構成のアンカが、体内へと固定して取り付けられる第１の部位と、第１の部位に着脱可能に係合するように構成された第２の部位とを備えている。したがって、第１の部位すなわち恒久アンカを、患者の体内に固定して取り付ける（すなわち、埋め込む）ことができる。これにより、恒久アンカを、機械的および／または化学的な固定具を使用して患者へと固定することができる。さらには、恒久アンカを、恒久アンカを体内に固定すべく組織の進入成長を促進するように、構成することができる。
【００７５】
次いで、第２の固定具を、医療用装置を恒久アンカへと着脱可能に係合させるために使用することができる。例えば、図１４Ａおよび１４Ｂに示されているように、第２の固定具がコネクタであるクリップ１４０５を備えることができる。このような設計によれば、医療従事者が、医療用の装置をその位置へと容易に固定する（例えば、「カチリ」と嵌める）ことができ、かつ／またはその位置から容易に取り外すことができる。さらには、腸内スリーブなどの装置が万一にも閉塞した場合、スリーブが脱離して患者の体内を通過できるようにして、生じうる破滅的な結果を回避することが、好都合であろう。したがって、いくつかの実施形態においては、固定手段に作用する線形力が周囲の組織への害を防止するためのしきい値を充分に超えて増加したときに、固定手段が解放される。このようにして、恒久アンカがその位置に残る一方で、固定手段は、約２ポンドなどの所定の力において、壊れて外れるように設計される。ひとたび装置が壊れて外れると、新たな装置を受け入れるべく恒久アンカをその位置に残しつつ、壊れた装置を引き戻す（例えば、食道を通じて）ことができ、あるいは通常は腸管を通して通過させることができる。
【００７６】
コネクタであるクリップまたは締め具１４０５は、少なくとも一部がばね部材１４１０によって規定されるループによって形成できる。さらにループは、ばね部材１４１０を撓ませることによって広げることができる開口１４１５を備えている。好ましくは、開口１４１５は、ばね部材１４１０が撓んでいない通常時には、閉じている。このようにして、スリーブなどの対になる装置の造作を、締め具１４０５へと挿入し、上述のとおりスリーブを恒久アンカ１４００に固定することができる。例えば、スリーブの上流端に、波状アンカの結節点によって形成されるループなど、１つ以上のループ１４２０を備えることができる。取り外し時には、１つ以上のループ１４２０を締め具１４０５から引き出し、スリーブを恒久アンカ１４００から分離させ、体から取り出すことができる。恒久アンカ１４００は体内に残され、同様のやり方で再び使用することができる。他の実施形態においては、着脱可能な装置が、恒久アンカ１４００のループなどの造作に係合するように構成された１つ以上の締め具を備えている。
【００７７】
他の胃腸用埋め込み装置の実施形態においては、２部構成のアンカを、コネクタである磁気留め具を使用して一体に固定することができる。例えば、恒久アンカに、１つ以上の磁石を備えることができる。第２の着脱式のアンカに、磁気的に引き付けられる対応する造作を、恒久アンカの１つ以上の磁石へと付着するように構成して備えることができる。これにより、恒久アンカと着脱可能アンカとが、磁石による引力によって着脱可能に一体に接続される。代案としては、着脱可能なアンカに１つ以上の磁石を備え、恒久アンカに磁気的に引き付けられる対応する造作を備えることができ、これら２つのアンカが、磁石による引力によって着脱可能に一体に接続される。またさらには、恒久アンカおよび着脱可能アンカのそれぞれを、磁石および磁気的に引き付けられる造作の両者を他方のアンカの対応する造作に磁気的に結合するように構成して備えるように構成できる。
【００７８】
図１５Ａ〜１５Ｅに示されている一実施形態においては、第１のアンカ・コンポーネント１５００を、上述の手段のいずれかを使用して、胃腸管の内部管腔へと固定することができる。第１のアンカ・コンポーネント１５００は、第１および第２の磁石１５０５’、１５０５’’を備えている。第２のアンカ・コンポーネント１５１０を、細長いスリーブなどの医療用装置に固定することができる。第２のアンカ・コンポーネント１５１０は、磁気的に引き付けられる第１および第２の造作１５１５’、１５１５’’を備えている。２つのアンカ・コンポーネント１５００、１５１０は、図１５Ｃに示すようにお互いの近くへともたらされたとき、上述のとおり磁気によって一体に接続される。接続されたアンカ１５００、１５１０の側面図および端面図が、それぞれ図１５Ｄおよび１５Ｅに示されている。
【００７９】
いくつかの実施形態においては、波状アンカが、ワイヤまたはケーブル撚線から形成される。他の実施形態においては、図１６および１７に示すように、波状アンカを、筒状の素材から切り出すことができる。例えば、波状アンカを、ニチノールの筒からレーザ・カットで切り出すことができる。好都合には、波状パターンを、同じ筒から実質的に同一である複数の波状アンカを最小限の端材で切り出すことができるように、形成できる。さらには、針状突起物または外科用ホチキスなどの機械式の固定具も、波状アンカと針状突起物とが一体であるように、同じ筒から切り出すことができる。このやり方で形成されたとき、針状突起物は、一般的に上述したように筋肉組織へと係合させるため、波状アンカの軸から離れるように曲げられ、あるいは角度が付けられる。
【００８０】
本発明を、本発明の好ましい実施形態を参照しつつ詳しく示して説明したが、添付の特許請求の範囲に包含される本発明の技術的範囲から離れることなく、形態および詳細においてさまざまな変更が可能であることを、当業者であれば理解できるであろう。
【図面の簡単な説明】
【００８１】
【図１Ａ】緩んだ状態にある本発明のアンカの一実施形態の概略の端面図である。
【図１Ｂ】同実施形態の概略の側面図である。
【図１Ｃ】図１および図２に示したアンカの実施形態について、圧縮された状態の概略の側面図である。
【図２Ａ】図１Ａ、１Ｂに示した本発明のアンカの概略の斜視図である。
【図２Ｂ】本発明の他のアンカの実施形態の概略の斜視図である。
【図３Ａ】本発明のアンカの波状パターンの１つの実施形態の概略図である。
【図３Ｂ】同パターンの他の１つの実施形態の概略図である。
【図３Ｃ】同パターンのさらに他の１つの実施形態の概略図である。
【図３Ｄ】同パターンのなおさらに他の１つの実施形態の概略図である。
【図４】細長いスリーブを備えてなる本発明のスリーブ装置の一実施形態の概略の側面図である。
【図５Ａ】同装置の他の１つの種類の補強を示した概略図である。
【図５Ｂ】同装置のさらに他の１つの種類の補強を示した概略図である。
【図５Ｃ】同装置のなおさらに他の１つの種類の補強を示した概略図である。
【図６】同装置の実施形態について、動物の体の胃腸管の生まれつきの管腔へと埋め込まれた状態の概略図である。
【図７】生まれつきの管腔へと挿入された本発明の一実施形態のさらに詳しい縦断面図である。
【図８Ａ】図７に示されている針状突起物の実施形態のさらに詳しい概略図である。
【図８Ｂ】図８Ａに示されている針状突起物のうちの１つの先端のさらに詳しい概略図である。
【図８Ｃ】図８Ａおよび８Ｂに示した針状突起物の実施形態について、生まれつきの管腔への挿入の１つのステップの概略図である。
【図８Ｄ】同次のステップ概略図である。
【図８Ｅ】針状突起物の他の実施形態の概略図である。
【図９】スリーブに針状突起物を備えている本発明の他の実施形態の概略の側面図である。
【図１０Ａ】スリーブの針状突起物の一実施形態のさらに詳しい側面図である。
【図１０Ｂ】同平面図である。
【図１１Ａ】スリーブの針状突起物の他の実施形態のさらに詳しい側面図である。
【図１１Ｂ】同平面図である。
【図１２Ａ】スリーブの針状突起物のまた別の実施形態のさらに詳しい側面図である。
【図１２Ｂ】同平面図である。
【図１３】本発明の種々の実施形態についての典型的な追従曲線図である。
【図１４Ａ】コネクタの実施形態について、それぞれ係合した状態および係合しつつある状態の概略図である。
【図１４Ｂ】コネクタの実施形態について、それぞれ係合した状態および係合しつつある状態の概略図である。
【図１５Ａ】磁気結合式の波状アンカ装置の一部位の斜視図である。
【図１５Ｂ】同波状アンカ装置について、対をなす部位の斜視図である。
【図１５Ｃ】同波状アンカ装置の両部位を未結合の状態について示した側面図である。
【図１５Ｄ】それぞれ同波状アンカ装置を結合した状態について示した側面図である。
【図１５Ｅ】それぞれ同波状アンカ装置を結合した状態について示した端面図である。
【図１６】針状突起物を一体に形成して備えている本発明の一実施形態を示している。
【図１７】針状突起物を一体に形成して備えている本発明の他の実施形態を示している。
【符号の説明】
【００８２】
１００  ４００  ９００  スリーブ装置
１０５  第１の端部
１０６  十二指腸
１０８  ４１５  ６３０  ７３０  アンカ
１１０  ４１０  ９１０  スリーブ
１１５  ２１５  中心軸
１１９  十二指腸球部
２００  ９２０  波状アンカ
６００  腸  
６０５  腸の筋肉組織
６２０  胃腸用埋め込み装置
６４０  ６４５  ６４６  ７４０  ７４５  ９３０  針状突起物  
７００  （機械式の）固定具
１４０５  コネクタ
【図１Ａ】
2007513684.tif 000004
【図１Ｂ】
2007513684.tif 000005
【図１Ｃ】
2007513684.tif 000006
【図２Ａ】
2007513684.tif 000007
【図２Ｂ】
2007513684.tif 000008
【図３Ａ】
2007513684.tif 000009
【図３Ｂ】
2007513684.tif 000010
【図３Ｃ】
2007513684.tif 000011
【図３Ｄ】
2007513684.tif 000012
【図４】
2007513684.tif 000013
【図５Ａ】
2007513684.tif 000014
【図５Ｂ】
2007513684.tif 000015
【図５Ｃ】
2007513684.tif 000016
【図６】
2007513684.tif 000017
【図７】
2007513684.tif 000018
【図８Ａ】
2007513684.tif 000019
【図８Ｂ】
2007513684.tif 000020
【図８Ｃ】
2007513684.tif 000021
【図８Ｄ】
2007513684.tif 000022
【図８Ｅ】
2007513684.tif 000023
【図９】
2007513684.tif 000024
【図１０Ａ】
2007513684.tif 000025
【図１０Ｂ】
2007513684.tif 000026
【図１１Ａ】
2007513684.tif 000027
【図１１Ｂ】
2007513684.tif 000028
【図１２Ａ】
2007513684.tif 000029
【図１２Ｂ】
2007513684.tif 000030
【図１３】
2007513684.tif 000031
【図１４Ａ】
2007513684.tif 000032
【図１４Ｂ】
2007513684.tif 000033
【図１５Ａ】
2007513684.tif 000034
【図１５Ｂ】
2007513684.tif 000035
【図１５Ｃ】
2007513684.tif 000036
【図１５Ｄ】
2007513684.tif 000037
【図１５Ｅ】
2007513684.tif 000038
【図１６】
2007513684.tif 000039
【図１７】
2007513684.tif 000040
【国際調査報告】
2007513684.tif 000041
2007513684.tif 000042
2007513684.tif 000043
2007513684.tif 000044
2007513684.tif 000045